(57)【要約】【課題】  乳幼児が背負っても這い這いやよちよち歩き等の移動が容易にでき、移動の際等に乳幼児から脱落することもなく、乳幼児が着座した際の後方への転倒を防止することができ、外出先での使用に際して持ち運びも容易である乳幼児転倒防止具を提供する。【解決手段】  エアの注入及び排出を自在とした気密性を有するエアバッグ２と、当該エアバッグ２を乳幼児に背負わせるための左右の肩紐３とからなり、前記エアバッグ２の底面が、乳幼児が当該エアバッグ２を背負って着座した際に、乳幼児の後方転倒に対する支持として、当該後方転倒を防止可能な着座面からの高さα及び前後幅βとなるように形成されている。【選択図】図２
2015008795.tif 000002
【特許請求の範囲】
【請求項１】
エアの注入及び排出を自在とした気密性を有するエアバッグと、当該エアバッグを乳幼児に背負わせるための左右の肩紐とからなり、
前記エアバッグの底面は、乳幼児が当該エアバッグを背負って着座した際に、乳幼児の後方転倒に対する支持として、当該後方転倒を防止可能な着座面からの高さ及び前後幅となるように形成されていることを特徴とする乳幼児転倒防止具。
【請求項２】
前記エアバッグの底面は、乳幼児が当該エアバッグを背負って着座した際に、乳幼児の腰部と同じ高さか、又は、腰部から着座面までの高さとなるように形成されていることを特徴とする請求項１に記載の乳幼児転倒防止具。
【請求項３】
前記エアバッグの底面の前後幅は、１０ｃｍ〜２０ｃｍで形成されていることを特徴とする請求項１又は２に記載の乳幼児転倒防止具。
【発明の詳細な説明】
【技術分野】
【０００１】
本発明は、乳幼児が着座した際の後方への転倒を防止する乳幼児転倒防止具に関する。
【背景技術】
【０００２】
お座り、這い這い、つたい歩き又はよちよち歩き等をし始めた乳幼児は未だ足腰が弱いため、着座した際に後方へと転倒して後頭部を強打するという危険性がある。そのため、乳幼児が着座する背後に座布団やクッション等を置いて転倒を防止したり、部屋に厚めのマットを敷設して転倒しても危険がないようにしたり等、乳幼児の安全性のための対策が講じられてきた。
【０００３】
例えば、くの字状に湾曲させた断面略円筒状のクッション体と、当該くの字状に湾曲された内側中央に乳幼児の腰部に固定するために接続した固定用ベルトとから構成され、乳幼児が当該クッション体を腰部に固定することによって転倒を防止することができる乳幼児の転倒防止用具が提供されている（特許文献１）。
【０００４】
また、足元がおぼつかない乳幼児の後方転倒時の背中又は後頭部への衝撃を和らげるために、Ｖ字型で衝撃吸収素材からなる羽根を乳幼児に背負わせ、乳幼児が転倒した際、当該Ｖ字型の羽根の両先端が床との接触時にバネのように開くことにより、乳幼児の背中又は後頭部への衝撃を和らげることができる乳幼児の転倒時における後背部保護用具が提供されている（特許文献２）。
【先行技術文献】
【特許文献】
【０００５】
【特許文献１】特開２００３−１３５２２６号公報
【特許文献２】特開２００６−０２１００７号公報
【発明の概要】
【発明が解決しようとする課題】
【０００６】
しかしながら、乳幼児は、ずっと同じ場所に座っているのではなく、這い這いやよちよち歩き等によって移動するため、そのたびに乳幼児の背後に座布団やクッション等を移動させることは、家事等に追われる母親にあっては困難な場合もある。また、乳幼児の転倒時の衝撃を緩和するために床面に厚めのマットを敷設することは、費用と手間がかかり実用的ではない。
【０００７】
一方、前記特許文献１に記載の技術では、乳幼児の腰部にクッション体を固定しているために、乳幼児が移動するのに従ってクッション体も併せて移動できるようにもみえるが、当該クッション体は乳幼児の体格に比べて大きいため、乳幼児がクッション体と共に移動するのは容易ではなく、また、クッション体が乳幼児の腰部のみで固定されていることから、乳幼児が這い這いやよちよち歩きをするとクッション体が乳幼児の腰部から容易に脱落してしまうという問題があった。
【０００８】
また、前記特許文献２に記載の技術では、ベルトによって羽根形状の本体が乳幼児にしっかりと固定されていることから、乳幼児が這い這いやよちよち歩きによって移動しても乳幼児から容易に脱落することはないが、転倒を防止することはできないという問題があった。
【０００９】
さらに、前記特許文献１及び２に記載の技術では、クッション体や保護用具を外出先で使用するに際して持ち運びが容易ではないため、自宅屋内や幼稚園等の保育施設の屋内において使用され、外出先に持ち運んで使用することは容易ではなく、また、外出先で使用しようにも乳幼児の移動に対処できないという上記の問題もあった。
【００１０】
そこで、本発明は、乳幼児が背負っても這い這いやよちよち歩き等の移動が容易にでき、移動の際等に乳幼児から脱落することもなく、乳幼児が着座した際の後方への転倒を防止することができ、外出先での使用に際して持ち運びも容易である乳幼児転倒防止具を提供することを課題とした。
【課題を解決するための手段】
【００１１】
上記課題を解決するために、本発明は次のように構成した。すなわち、本発明に係る請求項１に記載の乳幼児転倒防止具は、エアの注入及び排出を自在とした気密性を有するエアバッグと、当該エアバッグを乳幼児に背負わせるための左右の肩紐とからなり、前記エアバッグの底面は、乳幼児が当該エアバッグを背負って着座した際に、乳幼児の後方転倒に対する支持として、当該後方転倒を防止可能な着座面からの高さ及び前後幅となるように形成されていることを特徴としている。
【００１２】
また、請求項２に記載の乳幼児転倒防止具は、前記エアバッグの底面が、乳幼児が当該エアバッグを背負って着座した際に、乳幼児の腰部と同じ高さか、又は、腰部から着座面までの高さとなるように形成されていることを特徴としている。
【００１３】
また、請求項３に記載の乳幼児転倒防止具は、前記エアバッグの底面の前後幅が、１０ｃｍ〜２０ｃｍで形成されていることを特徴としている。
【発明の効果】
【００１４】
本発明に係る請求項１乃至請求項３に記載の乳幼児転倒防止具によれば、エアを注入したエアバッグを背負った乳幼児が這い這いやよちよち歩き等の移動をしても、当該エアバッグは軽いことから重さを感じずに移動することができ、また、肩紐によって移動の際に乳幼児からエアバッグが脱落することもなく、また、乳幼児が着座した際に当該エアバッグの底面が乳幼児の後方転倒に対する支持となって乳幼児の後方への転倒を防止することができ、また、当該エアバッグからエアを排出すれば、当該エアバッグは折り畳み可能であり、容易に持ち運んで外出先でも使用することができる。
【図面の簡単な説明】
【００１５】
【図１】本発明に係る乳幼児転倒防止具を示す図である。
【図２】当該乳幼児転倒防止具の使用状態を示す図である。
【図３】当該乳幼児転倒防止具の使用状態を示す図である。
【図４】当該乳幼児転倒防止具の他の実施例を示す図である。
【図５】当該乳幼児転倒防止具の他の実施例を示す図である。
【発明を実施するための形態】
【００１６】
以下、図面に基づき、本発明について具体的に説明する。まず、図１は、本発明に係る乳幼児転倒防止具１を示す図である。当該乳幼児転倒防止具１は、気密性を有するエアバッグ２と当該エアバッグ２を乳幼児に背負わせるための左右の肩紐３から構成されている。
【００１７】
エアバッグ２は、透明で、ポリプロピレン、ポリエチレン等の柔軟な合成樹脂製シートから形成されている。当該合成樹脂製シートは、熱溶着にてエアバッグ２を容易に袋状にすることができるとともに、気密性に優れ、尚且つ、安価でコスト性にも優れている。当該エアバッグ２の素材は、当該合成樹脂製シートに限られるものではなく、気密性を有している素材で袋状に形成できるものであれば何でもよく、接着剤等によって接着することで袋状に形成してもよい。
【００１８】
なお、エアバッグ２の外表面には、乳幼児が好む模様やキャラクター等といった装飾を施すこともでき、当該合成樹脂製シート自体を色付きで形成してもよい。
【００１９】
また、当該エアバッグ２には、エアを注入及び排出するための栓部４が設けられている。当該栓部４を開放することでエアを注入及び排出することができる。これにより、乳幼児転倒防止具１の使用時には、エアを注入してエアバッグ２を膨張させた状態を栓部４を閉じることによって維持することができ、不使用時には、栓部４を開放してエアを排出してエアバッグ２を収縮させることで、容易に収納することができ、また、容易に持ち運ぶことができる。なお、当該栓部４には、空気の注入を容易にするべく空気弁（図示せず。）を設けてもよい。
【００２０】
肩紐３は、乳幼児が前記エアバッグ２を背負うことができるように、当該エアバッグ２の乳幼児の背中に接する面の左右に設けられている。当該肩紐３は、前記エアバッグ２と同様に柔軟な合成樹脂製シートから形成されるが、その他綿製紐等で形成してもよく、乳幼児が前記エアバッグ２を背負うことのできる紐状であればどのようなものであってもよい。また、当該肩紐３を長さ調節可能に形成することにより、乳幼児の身体差に対応することもできる。
【００２１】
図２は、当該乳幼児転倒防止具１を背負った乳幼児が着座した状態を示す図である。乳幼児転倒防止具１を背負った乳幼児が後方へ転倒しそうになると、エアバッグ２の底面が着座面に接触して後方転倒に対する支持となり、乳幼児の後方への転倒を防止することができる。この際、乳幼児転倒防止具１は、エアバッグ２の底面から着座面までの高さαが、乳幼児の後方転倒に対する支持として、転倒を防止できる高さαとなるように形成されている。
【００２２】
当該エアバッグ２の底面から着座面までの高さαは、乳幼児の転倒防止を目的としたエアバッグ２の底面による支持を考慮すると、乳幼児が当該エアバッグを背負って着座した際に、乳幼児の腰部と同じ高さαか、又は、腰部から着座面までの高さαとなることが好ましい。
【００２３】
また、当該エアバッグ２の底面の前後幅βは、乳幼児の転倒防止を目的としたエアバッグ２の底面による支持及び当該エアバッグ２を背負う乳幼児への負担を考慮すると、約１５ｃｍを最適として１０ｃｍ〜２０ｃｍの範囲で形成するのが好ましいが、前記高さαの高低とのバランスを考慮して当該前後幅αの長短を変更することができる。
【００２４】
なお、当該エアバッグ２の底面は、本実施例の図中では四角形で形成されているが、乳幼児がエアバッグ２を背負うことができ、且つ、乳幼児の後方転倒に対する支持となる形状であれば、どのような形状で形成してもよく、また、エアバッグ２自体をマスコットキャラクターの形状など、どのような形状で形成してもよい。
【００２５】
このように、当該乳幼児転倒防止具１によれば、乳幼児が着座した際に当該エアバッグ２の底面が乳幼児の後方転倒に対する支持となって乳幼児の後方への転倒を防止することができる。また、当該乳幼児転倒防止具１は、非常に軽いために背負った乳幼児の負担になることもない。
【００２６】
図３は、当該乳幼児転倒防止具１を背負った乳幼児が這い這いをしている状態を示す図である。当該乳幼児転倒防止具１を背負った乳幼児は、当該乳幼児転倒防止具１が軽いことから重さを感じることなく這い這いをして移動することができる。また、当該乳幼児転倒防止具１は、左右の肩紐３によって乳幼児に固定されているために乳幼児から脱落することもない。これは、よちよち歩きやつたい歩き等の移動においても同様である。
【００２７】
また、図２及び図３の使用状態を示す図において、エアバッグ２は透明で形成されており、乳幼児転倒防止具１の向こう側が視認できるので、例えば、乳幼児の向こう側に危険物がある等を保護者が視認することができ、安心して乳幼児転倒防止具１を乳幼児に使用させることができる。また、エアバッグ２を透明で形成すれば、乳幼児のとっても何かしらの荷物を背負っているような圧迫感を感じにくいことから、乳幼児に可及的にストレスを感じさせないで前記エアバッグ２を背負わせることができる。
【００２８】
次に、図４及び図５を用いて、他の実施例について説明する。
【００２９】
図４は、当該乳幼児転倒防止具１の他の実施例を示す図である。当該乳幼児転倒防止具１は、前記エアバッグ２の左右両端から乳幼児の胸部又は胴部に巻くためのベルト５が取付けられており、当該ベルト５の先端には面ファスナー等の係止具５ａが設けられて左右のベルト５を乳幼児の前身で接続可能に形成されている。また、前記左右の肩紐３の各下端は、夫々左右のベルト５に接続されている。当該ベルト５は、肩紐３と同様に、柔軟な合成樹脂製シートから形成されるが、その他綿製紐等で形成してもよく、乳幼児が前記エアバッグ２を胸部又は胴部で固定することのできる紐状であればどのようなものであってもよい。
【００３０】
これにより、当該乳幼児転倒防止具１を背負う乳幼児に対して、左右の肩紐３による固定、及び、胸部又は胴部へのベルト５による固定を行うことができ、乳幼児にエアバッグ２をより強固に固定することができる。なお、当該ベルト５を長さ調節可能に形成することによって、乳幼児の身体差にも対応することもできる。
【００３１】
図５は、当該乳幼児転倒防止具１の他の実施例を示す図である。当該乳幼児転倒防止具１は、エアバッグ２の外表面に、スタイ等の乳幼児用小物、ポケットティッシュやハンカチ等を収納することができるポケット６が形成されている。
【００３２】
なお、当該ポケット６は、エアバッグ２と同様に透明な合成樹脂製シートで形成されるが、前記小物類を収納可能なポケット６が形成できればどのような素材であってもよい。また、エアバッグ２の外表面に１つだけでなく、複数のポケット６を設けてもよい。
【産業上の利用可能性】
【００３３】
本発明に係る乳幼児転倒防止具１によれば、つたい歩きやよちよち歩き中に後方に転倒しても、エアバッグ２が衝撃を緩衝するため乳幼児が身体等を強打するのを防止又は緩和することができる。
【符号の説明】
【００３４】
１    乳幼児転倒防止具
２    エアバッグ
３    肩紐
４    栓部
５    ベルト
５ａ  係止具
６    ポケット
α    高さ
β    前後幅
【図１】
2015008795.tif 000003
【図２】
2015008795.tif 000004
【図３】
2015008795.tif 000005
【図４】
2015008795.tif 000006
【図５】
2015008795.tif 000007